(57)【特許請求の範囲】
【請求項１】
屋根棟の長手方向に沿った視線でみて、ハの字形状となるよう設置された左右野地板と、これら各野地板上に葺かれる左右地瓦と、これら地瓦から上記野地板に対する垂直方向での上方に離れて位置し上記左右地瓦にその上方から跨るように設けられて上記長手方向に延びる棟板と、上記野地板に沿った傾斜方向における上記棟板の下端縁からほぼ上記垂直方向の下方に向って延出する端部板とを備え、上記左右野地板の間に換気口を形成した建物の屋根棟における換気部構造において、
上記棟板から上記垂直方向で下方に離れて位置し上記長手方向に延びる水切板を設け、この水切板が、上記傾斜方向での上部を構成して上記垂直方向で上記端部板の延出端縁とほぼ同じ高さ、もしくはこの延出端縁よりも上方に位置する上部板と、この上部板の上記傾斜方向での下端縁からほぼ上記垂直方向での下方に向って延出する中途部板と、この中途部板の延出端縁から上記傾斜方向での下方に向って延出しその延出端縁が上記端部板の延出端縁のほぼ上記垂直方向での下方域に位置する下部板とを備え、上記垂直方向で上記棟板から下方に離れかつ上記上部板の上方近傍に位置し上記長手方向に延びる樋を設け、この樋の上記傾斜方向での下端縁を上記中途部板よりも上記傾斜方向での下方にまで突出させ、かつ、上記樋の上記傾斜方向での下端縁を上記垂直方向での上方に突出させることにより、鉛直線の方向での上記樋の上面が下方に向かって凹むようにし、この樋内に落下した水滴が屋根棟の外部に排水されるようにした建物の屋根棟における換気部構造。
【請求項２】
上記上部板の上記傾斜方向での上端縁をほぼ上記垂直方向での上方に向って延出させ、上記上部板の上端縁よりも上記傾斜方向での上方で上記棟板側からほぼ上記垂直方向での下方に向って規制板を突出させた請求項１に記載の建物の屋根棟における換気部構造。
【請求項３】
上記棟板と端部板とを棟瓦とした請求項１、もしくは２に記載の建物の屋根棟における換気部構造。
【請求項４】
上記棟板の鉛直方向での上面側に棟瓦を支持させた請求項１、もしくは２に記載の建物の屋根棟における換気部構造。
【発明の詳細な説明】
【０００１】
【発明が属する技術分野】
本発明は、建物の屋根棟において、その内部の換気をする場合に、屋根棟の外部から内部に雨滴が入り込まないようにする換気部構造に関するものである。
【０００２】
【従来の技術】
上記建物の屋根棟における換気部構造には、従来、次のように構成されたものがある。
【０００３】
即ち、上記屋根棟は、この屋根棟の長手方向に沿った視線でみて、ハの字形状となるよう設置された左右野地板と、これら各野地板上に葺かれる左右地瓦と、これら地瓦から上記野地板に対する垂直方向での上方に離れて位置し上記左右地瓦にその上方から跨るように設けられて上記長手方向に延びる棟板と、上記野地板に沿った傾斜方向における上記棟板の下端縁からほぼ上記垂直方向の下方に向って延出する端部板とを備え、上記左右野地板の間に換気口が形成されている。
【０００４】
そして、上記左右地瓦の間の空間と、これら地瓦と棟板との間の空間と、上記左右地瓦と端部板との間の空間と、上記換気口とを通し空気が流動することにより、上記屋根棟の内部の換気が可能とされている。
【０００５】
【発明が解決しようとする課題】
ところで、上記従来の技術では、上記各空間と換気口とを通し屋根棟の外部から内部に空気が流動するとき、雨天時には、外部の雨滴が上記空気と共に上記内部に入り込むおそれがあった。
【０００６】
本発明は、上記のような事情に注目してなされたもので、建物の屋根棟における内部と外部との間で換気をする場合に、その外部から内部に雨滴が入り込むことをより確実に防止できるようにすることを課題とする。
【０００７】
【課題を解決するための手段】
上記課題を解決するための本発明の建物の屋根棟における換気部構造は、次の如くである。なお、この項において各用語に付記した符号は、本発明の技術的範囲を後述の「発明の実施の形態」の項の内容に限定解釈するものではない。
【０００８】
請求項１の発明は、全図に例示するように、屋根棟１の長手方向Ａに沿った視線でみて、ハの字形状となるよう設置された左右野地板２，２と、これら各野地板２上に葺かれる左右地瓦３と、これら地瓦３から上記野地板２に対する垂直方向Ｂでの上方に離れて位置し上記左右地瓦３にその上方から跨るように設けられて上記長手方向Ａに延びる棟板９と、上記野地板２に沿った傾斜方向Ｃにおける上記棟板９の下端縁からほぼ上記垂直方向Ｂの下方に向って延出する端部板１０とを備え、上記左右野地板２，２の間に換気口２３を形成した建物の屋根棟における換気部構造において、
【０００９】
上記棟板９から上記垂直方向Ｂで下方に離れて位置し上記長手方向Ａに延びる水切板２５を設け、この水切板２５が、上記傾斜方向Ｃでの上部を構成して上記垂直方向Ｂで上記端部板１０の延出端縁とほぼ同じ高さ、もしくはこの延出端縁よりも上方に位置する上部板２８と、この上部板２８の上記傾斜方向Ｃでの下端縁からほぼ上記垂直方向Ｂでの下方に向って延出する中途部板２９と、この中途部板２９の延出端縁から上記傾斜方向Ｃでの下方に向って延出しその延出端縁が上記端部板１０の延出端縁のほぼ上記垂直方向Ｂでの下方域に位置する下部板３０とを備え、上記垂直方向Ｂで上記棟板９から下方に離れかつ上記上部板２８の上方近傍に位置し上記長手方向Ａに延びる樋３５を設け、この樋３５の上記傾斜方向Ｃでの下端縁を上記中途部板２９よりも上記傾斜方向Ｃでの下方にまで突出させ、かつ、上記樋３５の上記傾斜方向Ｃでの下端縁を上記垂直方向Ｂでの上方に突出させることにより、鉛直線の方向での上記樋３５の上面が下方に向かって凹むようにし、この樋３５内に落下した水滴が屋根棟１の外部に排水されるようにしたものである。
【００１０】
請求項２の発明は、全図に例示するように、請求項１の発明に加えて、上記上部板２８の上記傾斜方向Ｃでの上端縁３６をほぼ上記垂直方向Ｂでの上方に向って延出させ、上記上部板２８の上端縁３６よりも上記傾斜方向Ｃでの上方で上記棟板９側からほぼ上記垂直方向Ｂでの下方に向って規制板３９を突出させたものである。
【００１１】
請求項３の発明は、図１〜３に例示するように、請求項１、もしくは２の発明に加えて、上記棟板９と端部板１０とを棟瓦２２としたものである。
【００１２】
請求項４の発明は、図４〜６に例示するように、請求項１、もしくは２の発明に加えて、上記棟板９の鉛直方向での上面側に棟瓦５３を支持させたものである。
【００１３】
【発明の実施の形態】
以下、本発明の実施の形態を図面により説明する。
【００１４】
（第１の実施の形態）
【００１５】
図１〜３は、第１の実施の形態を示している。
【００１６】
図１〜３において、符号１は、建物の屋根棟であり、この屋根棟１は、水平方向に延びるこの屋根棟１の長手方向Ａに沿った視線でみて（図１，３）、ハの字形状となるよう設置され不図示の棟木と垂木で固定された左右野地板２，２と、これら各野地板２，２上に葺かれる左右地瓦３，３とを備え、これら各地瓦３は、上記野地板２上に桟木４と釘５とで固定されている。
【００１７】
また、上記屋根棟１は、上記視線でみて、上記各地瓦３の表面にそれぞれ釘７により固定支持されて上記長手方向Ａに延びる左右笠木８，８と、上記左右地瓦３，３および左右笠木８，８から、上記各野地板２に対する垂直方向Ｂでの上方に離れて位置し上記左右地瓦３，３および左右笠木８，８にその上方から跨るように設けられて上記長手方向Ａに延びるヘの字形状の棟板９と、上記各野地板２に沿った傾斜方向Ｃにおける上記棟板９の各下端縁からほぼ上記垂直方向Ｂ（ほぼ鉛直方向を含む、以下同じとする）の下方に向ってそれぞれ一体的に延出する端部板１０とを備えている。
【００１８】
上記屋根棟１は、上記棟板９の頂部を通る鉛直線１２を中心としてほぼ左右対称形とされている。
【００１９】
図２，３において、上記屋根棟１の一般部１４は、上記端部板１０の延出端縁から上記傾斜方向Ｃで下方に向って一体的に延出する延出板１５を備え、上記棟板９、端部板１０、および延出板１５が上記一般部１４における板金製棟瓦１６を構成している。この棟瓦１６における上記棟板９の上記傾斜方向Ｃでの各端部は上記各笠木８の上記垂直方向Ｂでの上面に載置され、上記各端部板１０は上記傾斜方向Ｃでの各笠木８の下面に接合させられて釘１７により固定支持され、上記各延出板１５と各地瓦３との間はシーリング材１８で閉じられている。
【００２０】
図１，２において、上記屋根棟１の換気部２１では、上記棟板９と各端部板１０とは、それ自体が他の板金製棟瓦２２を構成し、上記左右野地板２，２の間には鉛直線１２に沿って上下に貫通する換気口２３が形成されている。
【００２１】
上記屋根棟１の換気部２１は、上記棟板９を上記各笠木８に支持させると共に、上記垂直方向Ｂで上記各地瓦３および各笠木８との間に空間を生じさせる上記長手方向Ａで複数の金属製左右支持片２４，２４と、上記棟板９から上記垂直方向Ｂで下方に離れて位置し、上記長手方向Ａに延びる板金製の左右水切板２５，２５とを備え、上記棟板９と支持片２４とはリベットで結合されている。
【００２２】
上記左右水切板２５，２５は左右に互いに離れて配置され、これら各水切板２５は、上記傾斜方向Ｃでの上部を構成して上記笠木８の上記垂直方向Ｂでの上面に載置される上部板２８と、この上部板２８の上記傾斜方向Ｃでの下端縁からほぼ上記垂直方向Ｂの下方に向って一体的に延出する中途部板２９と、この中途部板２９の延出端縁から上記傾斜方向Ｃでの下方に向って一体的に延出しその延出端縁がほぼ上記垂直方向Ｂで上記端部板１０の下方域に位置する下部板３０とを備えている。
【００２３】
上記中途部板２９は、上記笠木８の上記傾斜方向Ｃでの下面に接合させられてこの笠木８に釘３１により固定支持され、上記各下部板３０と各地瓦３との間はシーリング材３２で閉じられている。
【００２４】
上記左右水切板２５，２５は、上記屋根棟１の一般部１４における棟瓦１６の上記傾斜方向Ｃでの各端部と同形同大とされている。また、上記左右水切板２５，２５は、上記屋根棟１の一般部１４における棟瓦１６の長手方向Ａでの仮想延長線上に配置されている。
【００２５】
上記棟板９から上記垂直方向Ｂでの下方に離れて位置し上記長手方向Ａに延びる板金製の樋３５が設けられ、この樋３５は上記上部板２８の上記垂直方向Ｂでの上方近傍に位置させられて上記支持片２４の上面に載置されている。また、これら支持片２４、水切板２５、および樋３５はリベットにより互いに結合され、これにより、上記棟板９（棟瓦２２）は、支持片２４、水切板２５、および笠木８により地瓦３に支持されている。上記樋３５の上記傾斜方向Ｃでの下端縁は、上記中途部板２９よりも上記傾斜方向Ｃでの下方にまで突出させられている。また、上記上部板２８の上記傾斜方向Ｃでの上端縁３６はほぼ上記垂直方向Ｂでの上方に向って延出させられている。
【００２６】
上記上部板２８の上端縁３６の上記垂直方向Ｂでの上方に離れて配置されて上記棟板９にリベットにより結合させられる他の水切板３８が設けられている。この他の水切板３８の上記傾斜方向Ｃでの上端縁は規制板３９とされ、この規制板３９は、上記上部板２８の上端縁３６よりも上記傾斜方向Ｃでの上方で、上記棟板９側からほぼ上記垂直方向Ｂでの下方に向って突出している。また、上記他の水切板３８の上記傾斜方向Ｃでの下端縁は、ほぼ上記垂直方向Ｂでの下方に向って上記棟板９側から突出する水切縁４０とされ、この水切縁４０の鉛直方向での下方に上記樋３５が配置されている。
【００２７】
上記屋根棟１の換気部２１によって、屋根棟１の内部４２と外部４３との間で換気が行われる場合、この内部４２の空気は、上記換気口２３、左右地瓦３，３の間の第１空間４５、左右笠木８，８の間で棟板９の下方の第２空間４６、棟板９と上部板２８および樋３５との間の第３空間４７、水切板２５の中途部板２９および下部板３０と端部板１０とで囲まれた第４空間４８、および上記端部板１０と水切板２５の下部板３０の各延出端部の間の第５空間４９を順次通り外部４３に向って流動する。
【００２８】
一方、上記屋根棟１の外部４３の空気が上記内部４２に向って流動するのは、上記と逆の流れとなる。この場合、上記第５空間４９を通り第４空間４８に流入した外部４３からの空気は、上記水切板２５の中途部板２９と、樋３５の上記傾斜方向Ｃでの下端部とに順次案内されて円弧状に屈曲させられる（矢印Ｄ）。すると、空気と水滴の各遠心力の大きさの差により、空気から水滴が分離され、この分離された水滴は、上記水切板２５の下部板３０の表面を伝って外部４３に排水される。
【００２９】
次に、上記第４空間４８から第３空間４７を通り第２空間４６に向う空気は上記水切板２５の上部板２８の上端縁３６と、上記規制板３９とに順次案内されて上方に凸状の円弧形状に屈曲させられる（矢印Ｅ）。すると、この場合にも、空気と水滴の各遠心力の大きさの差により、空気から水滴が分離され、この分離された水滴は、他の水切板３８の上記垂直方向Ｂでの下面に付着させられ、この下面を伝って上記傾斜方向Ｃでの下方に流下させられ、次に、上記水切縁４０を伝って上記樋３５内に落下させられ、この樋３５内を通って外部４３に排水される。
【００３０】
よって、建物の屋根棟１における内部４２の換気をする場合に、その外部４３から内部４２に雨滴が入り込むことはより確実に防止される。
【００３１】
なお、以上は図示の例によるが、上記棟板９は上方に凸状の円弧形状であってもよい。また、上記水切板２５の上部板２８と樋３５とは直接接合させてもよく、互いに一体成形したものであってもよい。
【００３２】
以下の図４〜６は、第２の実施の形態を示している。この実施の形態は、前記第１の実施の形態と構成、作用効果において多くの点で共通している。そこで、これら共通するものについては、図面に共通の符号を付してその重複した説明を省略し、異なる点につき主に説明する。また、これら各実施の形態における各部分の構成を、本発明の課題、作用効果に照らして種々組み合せてもよい。
【００３３】
（第２の実施の形態）
【００３４】
図４〜６は、第２の実施の形態を示している。
【００３５】
これによれば、上記屋根棟１は、上記左右野地板２，２の間の上方で上記長手方向Ａに延びる垂木５１と、この垂木５１を上記野地板２に支持させる金属製支持具５２と、上記垂木５１に支持された左右棟板９，９の鉛直方向での上面側に支持される棟瓦５３とを備えている。
【００３６】
上記屋根棟１の換気部２１における棟板９は、上記屋根棟１の一般部１４における棟板９の上記長手方向Ａでの仮想延長線上に配置され、かつ、上記屋根棟１の一般部１４と換気部２１とにおける各棟瓦５３は同じ高さで長手方向Ａに列設されている。
【００３７】
【発明の効果】
本発明による効果は、次の如くである。
【００３８】
請求項１の発明は、屋根棟の長手方向に沿った視線でみて、ハの字形状となるよう設置された左右野地板と、これら各野地板上に葺かれる左右地瓦と、これら地瓦から上記野地板に対する垂直方向での上方に離れて位置し上記左右地瓦にその上方から跨るように設けられて上記長手方向に延びる棟板と、上記野地板に沿った傾斜方向における上記棟板の下端縁からほぼ上記垂直方向の下方に向って延出する端部板とを備え、上記左右野地板の間に換気口を形成した建物の屋根棟における換気部構造において、
【００３９】
上記棟板から上記垂直方向で下方に離れて位置し上記長手方向に延びる水切板を設け、この水切板が、上記傾斜方向での上部を構成して上記垂直方向で上記端部板の延出端縁とほぼ同じ高さ、もしくはこの延出端縁よりも上方に位置する上部板と、この上部板の上記傾斜方向での下端縁からほぼ上記垂直方向での下方に向って延出する中途部板と、この中途部板の延出端縁から上記傾斜方向での下方に向って延出しその延出端縁が上記端部板の延出端縁のほぼ上記垂直方向での下方域に位置する下部板とを備え、上記垂直方向で上記棟板から下方に離れかつ上記上部板の上方近傍に位置し上記長手方向に延びる樋を設け、この樋の上記傾斜方向での下端縁を上記中途部板よりも上記傾斜方向での下方にまで突出させ、かつ、上記樋の上記傾斜方向での下端縁を上記垂直方向での上方に突出させることにより、鉛直線の方向での上記樋の上面が下方に向かって凹むようにし、この樋内に落下した水滴が屋根棟の外部に排水されるようにしてある。
【００４０】
このため、上記屋根棟の内部と外部との間で換気が行われる場合に、上記端部板と水切板の下部板との各延出端縁の間の空間を通ってその外部から内部側に空気が流入したとき、この空気は、上記水切板の中途部板と、樋の上記傾斜方向での下端縁とに順次案内されて円弧状に屈曲させられる。すると、上記空気と水滴の各遠心力の大きさの差により、空気から水滴が分離され、この水滴は外部に排水される。
【００４１】
よって、建物の屋根棟における内部の換気をする場合に、その外部から内部に雨滴が入り込むことはより確実に防止される。
【００４２】
請求項２の発明は、上記上部板の上記傾斜方向での上端縁をほぼ上記垂直方向での上方に向って延出させ、上記上部板の上端縁よりも上記傾斜方向での上方で上記棟板側からほぼ上記垂直方向での下方に向って規制板を突出させてある。
【００４３】
このため、上記屋根棟の外部から内部に向う空気は上記水切板の上部板の上端縁と、上記規制板とに順次案内されて円弧形状に屈曲させられる。すると、この場合にも、空気と水滴の各遠心力の大きさの差により、空気から水滴が分離され、この水滴は外部に排水される。
【００４４】
よって、建物の屋根棟における内部の換気をする場合に、その外部から内部に雨滴が入り込むことはより確実に防止される。
【００４５】
請求項３の発明は、上記棟板と端部板とを棟瓦としてある。
【００４６】
このため、屋根棟の換気部の棟板が棟瓦に兼用された分、上記屋根棟の構成が簡単となる。
【００４７】
請求項４の発明は、上記棟板の鉛直方向での上面側に棟瓦を支持させてある。
【００４８】
このため、上記屋根棟における換気部の外観上の形状を屋根棟の一般部と同じにでき、よって、換気部を設けたものでありながら、屋根棟の全体的な見栄えを良好なままに保つことができる。
【図面の簡単な説明】
【図１】  第１の実施の形態で、屋根棟の換気部の断面図である。
【図２】  第１の実施の形態で、屋根棟の部分展開斜視図である。
【図３】  第１の実施の形態で、屋根棟の一般部の断面図である。
【図４】  第２の実施の形態で、図２に相当する図である。
【図５】  第２の実施の形態で、図３に相当する図である。
【図６】  第２の実施の形態で、図１に相当する図である。
【符号の説明】
１      屋根棟
２      野地板
３      地瓦
９      棟板
１０    端部板
１４    一般部
２１    換気部
２２    棟瓦
２３    換気口
２４    支持片
２５    水切板
２８    上部板
２９    中途部板
３０    下部板
３５    樋
３６    上端縁
３８    他の水切板
３９    規制板
４０    水切縁
４２    内部
４３    外部
５３    棟瓦
Ａ      長手方向
Ｂ      垂直方向
Ｃ      傾斜方向
【図１】
0003779645.tif 000002
【図２】
0003779645.tif 000003
【図３】
0003779645.tif 000004
【図４】
0003779645.tif 000005
【図５】
0003779645.tif 000006
【図６】
0003779645.tif 000007